(57)【要約】【課題】外部と磁気ディスク記憶装置との間を伝達する振動・衝撃を低減しつつ、磁気ディスク記憶装置を着脱する作業を容易にする。【解決手段】磁気ディスク記憶装置固定器具１は、外側枠と内側枠２１と右側吸収材２２と左側吸収材２８とを備えている。内側枠２１は、外側枠に取り付けられる。磁気ディスク記憶装置３−ｉが内側枠２１に取り付けられるときに、右側吸収材２２は、磁気ディスク記憶装置３−ｉと内側枠２１の右側壁部分２４との間に挟まれるように内側枠２１に固定され、左側吸収材２８は、磁気ディスク記憶装置３−ｉと内側枠２１の左側壁部分２５との間に挟まれるように内側枠２１に固定されている。右側吸収材２２と左側吸収材２８とは、磁気ディスク記憶装置３−ｉが内側枠２１に取り付けられ、かつ、内側枠２１が外側枠に取り付けられているときに、弾性変形し、外側枠に内側枠２１が接触するように、内側枠２１に弾性力を与える。【選択図】図１１
2019109948.tif 000002
【特許請求の範囲】
【請求項１】
外側枠と、
前記外側枠に取り付けられる内側枠と、
磁気ディスク記憶装置が前記内側枠に取り付けられるときに、前記磁気ディスク記憶装置と前記内側枠との間に挟まれるように前記内側枠に固定される吸収材とを備え、
前記吸収材は、前記磁気ディスク記憶装置が前記内側枠に取り付けられ、かつ、前記内側枠が前記外側枠に取り付けられているときに、弾性変形し、前記外側枠に形成される取付部に前記内側枠が接触するように、前記内側枠に弾性力を与える
磁気ディスク記憶装置固定器具。
【請求項２】
前記磁気ディスク記憶装置は、前記磁気ディスク記憶装置が他の器具に固定されるときに螺子が締結される穴が形成され、
前記内側枠は、
前記穴に嵌合するピンと、
前記内側枠のうちの前記吸収材が固定される部位に対して前記ピンが移動するように弾性変形するピン用弾性部とをさらに有する
請求項１に記載の磁気ディスク記憶装置固定器具。
【請求項３】
前記ピンは、根元に近付くにつれて径が大きくなるように形成される
請求項２に記載の磁気ディスク記憶装置固定器具。
【請求項４】
前記外側枠は、前記取付部に形成される受け突起を有し、
前記内側枠は、前記内側枠が前記外側枠に対して移動するように、前記受け突起を案内するレールを有し、
前記吸収材は、前記磁気ディスク記憶装置が前記内側枠に取り付けられ、かつ、前記内側枠が前記外側枠に取り付けられているときに、前記レールに前記受け突起が嵌合するように、前記内側枠に弾性力を与える
請求項２または請求項３に記載の磁気ディスク記憶装置固定器具。
【請求項５】
前記外側枠は、嵌合部をさらに有し、
前記内側枠は、前記内側枠が前記外側枠に取り付けられるときに前記嵌合部に嵌合する突起をさらに有する
請求項４に記載の磁気ディスク記憶装置固定器具。
【請求項６】
前記内側枠は、
前記突起に固定される第１レバーと、
前記突起と異なる部位に固定される第２レバーと、
前記第１レバーが前記第２レバーに接近するときに、前記突起が前記嵌合部から外れるように弾性変形する突起用弾性部とをさらに有する
請求項５に記載の磁気ディスク記憶装置固定器具。
【請求項７】
前記第１レバーは、
第１押付部と、
前記第１押付部の両端にそれぞれ接合し、前記第２レバーから遠い側に突出する２つの第１ガイド部とを含み、
前記第２レバーは、
第２押付部と、
前記第２押付部の両端にそれぞれ接合し、前記第１レバーから遠い側に突出する２つの第２ガイド部とを含む
請求項６に記載の磁気ディスク記憶装置固定器具。
【請求項８】
前記ピンと前記ピン用弾性部と前記レールと前記突起と前記第１レバーと前記第２レバーと前記突起用弾性部とは、前記内側枠が形成される材料と同一の材料から形成される
請求項６に記載の磁気ディスク記憶装置固定器具。
【請求項９】
外側枠に取り付けられる内側枠と、
磁気ディスク記憶装置が前記内側枠に取り付けられるときに、前記磁気ディスク記憶装置と前記内側枠との間に挟まれるように前記内側枠に固定される吸収材とを備え、
前記吸収材は、前記磁気ディスク記憶装置が前記内側枠に取り付けられ、かつ、前記内側枠が前記外側枠に取り付けられているときに、弾性変形し、前記外側枠に形成される取付部に前記内側枠が接触するように、前記内側枠に弾性力を与える
磁気ディスク記憶装置固定器具。
【発明の詳細な説明】
【技術分野】
【０００１】
本開示の技術は、磁気ディスク記憶装置固定器具に関する。
【背景技術】
【０００２】
パソコン等のケースに磁気ディスク記憶装置を固定する磁気ディスク記憶装置固定器具が知られている。このような磁気ディスク記憶装置固定器具は、磁気ディスク記憶装置の螺子穴に螺子を締結しないで磁気ディスク記憶装置をケースに固定することにより、磁気ディスク記憶装置をケースに固定する作業を容易にすることができる（特許文献１〜３参照）。
【先行技術文献】
【特許文献】
【０００３】
【特許文献１】特開平１０−１７８２８０号公報
【特許文献２】特開平１０−１６０８７７号公報
【特許文献３】特開２０１４−１４６３９９号公報
【発明の概要】
【発明が解決しようとする課題】
【０００４】
磁気ディスク記憶装置は、内部構造が複雑かつ精密であり、外部から振動・衝撃が与えられることにより、リードライト性能が劣化したり、故障したりする場合がある。磁気ディスク記憶装置は、さらに、自身が発生する振動により他の電子機器に悪影響を及ぼすことがある。
【０００５】
開示の技術は、かかる点に鑑みてなされたものであって、外部と磁気ディスク記憶装置との間を伝達する振動・衝撃を低減しつつ、磁気ディスク記憶装置を固定する作業を容易にする磁気ディスク記憶装置固定器具を提供することを目的とする。
【課題を解決するための手段】
【０００６】
開示の態様では、磁気ディスク記憶装置固定器具は、外側枠と内側枠と吸収材とを備えている。前記内側枠は、前記外側枠に取り付けられる。前記吸収材は、磁気ディスク記憶装置が前記内側枠に取り付けられるときに、前記磁気ディスク記憶装置と前記内側枠との間に挟まれるように前記内側枠に固定されている。前記吸収材は、さらに、前記磁気ディスク記憶装置が前記内側枠に取り付けられ、かつ、前記内側枠が前記外側枠に取り付けられているときに、弾性変形し、前記外側枠に前記内側枠が接触するように、前記内側枠に弾性力を与えている。
【発明の効果】
【０００７】
開示の磁気ディスク記憶装置固定器具は、外部と磁気ディスク記憶装置との間を伝達する振動・衝撃を低減しつつ、磁気ディスク記憶装置を固定する作業を容易にすることができる。
【図面の簡単な説明】
【０００８】
【図１】図１は、実施例の磁気ディスク記憶装置固定器具が設けられた情報処理装置を示す斜視図である。
【図２】図２は、実施例の磁気ディスク記憶装置固定器具を示す分解斜視図である。
【図３】図３は、複数のＨＤＤユニットのうちの１つのＨＤＤユニットを示す斜視図である。
【図４】図４は、磁気ディスク記憶装置を示す斜視図である。
【図５】図５は、ＨＤＤ固定枠を示す斜視図である。
【図６】図６は、ＨＤＤ固定枠を示す他の斜視図である。
【図７】図７は、ＨＤＤ固定枠を示す側面図である。
【図８】図８は、ＨＤＤ固定枠を示す他の側面図である。
【図９】図９は、ＨＤＤ固定枠を示す平面図である。
【図１０】図１０は、固定保持ピン部を示す断面図である。
【図１１】図１１は、ＨＤＤユニットを示す断面図である。
【図１２】図１２は、外側枠を示す斜視図である。
【図１３】図１３は、外側枠を示す正面図である。
【図１４】図１４は、複数のＨＤＤユニットが適切に取り付けられた外側枠を示す斜視図である。
【図１５】図１５は、筐体に固定された外側枠に対して複数のＨＤＤユニットが着脱される様子を示す斜視図である。
【発明を実施するための形態】
【０００９】
以下に、本願が開示する実施形態にかかる磁気ディスク記憶装置固定器具について、図面を参照して説明する。なお、以下の記載により本開示の技術が限定されるものではない。また、以下の記載においては、同一の構成要素に同一の符号を付与し、重複する説明を省略する。
【００１０】
図１は、実施例の磁気ディスク記憶装置固定器具１が設けられた情報処理装置を示す斜視図である。実施例の磁気ディスク記憶装置固定器具１は、図１に示されているように、情報処理装置１０に設けられている。情報処理装置１０は、磁気ディスク記憶装置固定器具１とともに筐体２と複数の磁気ディスク記憶装置３−１〜３−３とを備え、図示されていないカバーと複数の内部ユニットとを備えている。筐体２は、箱型に形成され、カバーが筐体２に取り付けられることにより、筐体２とカバーとに囲まれる内部空間５を形成する。複数の内部ユニットは、それぞれ、内部空間５に配置され、筐体２に固定されている。複数の内部ユニットは、コンピュータとファンとを含んでいる。コンピュータは、情報処理することにより、情報処理装置１０に情報伝達可能に接続される外部機器を制御する。ファンは、内部空間５に外気を通風させることにより、内部空間５に配置される複数の内部ユニットを冷却する。ファンは、内部空間５に外気を通風させるときに、振動を発生させることがある。複数の磁気ディスク記憶装置３−１〜３−３は、内部空間５に配置され、磁気ディスク記憶装置固定器具１を介して筐体２に固定されている。
【００１１】
図２は、実施例の磁気ディスク記憶装置固定器具１を示す分解斜視図である。磁気ディスク記憶装置固定器具１は、図２に示されているように、外側枠６を備えている。外側枠６は、複数の格納空間８−１〜８−３を形成している。複数の格納空間８−１〜８−３には、複数の磁気ディスク記憶装置３−１〜３−３に対応する複数のＨＤＤ（Ｈａｒｄ  Ｄｉｓｋ  Ｄｒｉｖｅ：磁気ディスク記憶装置）ユニット７−１〜７−３がそれぞれ格納される。
【００１２】
図３は、複数のＨＤＤユニット７−１〜７−３のうちの１つのＨＤＤユニット７−ｉを示す斜視図である。複数のＨＤＤユニット７−１〜７−３のうちの磁気ディスク記憶装置３−ｉ（ｉ＝１，２，３）に対応するＨＤＤユニット７−ｉは、図３に示されているように、磁気ディスク記憶装置３−ｉがＨＤＤ固定枠１１に適切に取り付けられることにより、形成されている。すなわち、複数のＨＤＤユニット７−１〜７−３は、複数の磁気ディスク記憶装置３−１〜３−３が複数のＨＤＤ固定枠にそれぞれ適切に取り付けられることにより、形成されている。このとき、磁気ディスク記憶装置固定器具１は、複数の磁気ディスク記憶装置３−１〜３−３がそれぞれ取り付けられる複数のＨＤＤ固定枠を備えている。
【００１３】
図４は、磁気ディスク記憶装置３−ｉを示す斜視図である。磁気ディスク記憶装置３−ｉは、図４に示されているように、概ね直方体に形成されている。磁気ディスク記憶装置３−ｉは、複数の右側螺子穴１４−１〜１４−３が形成されている。複数の右側螺子穴１４−１〜１４−３は、直方体の１つの面に対応する１つの右側面１５に形成されている。複数の右側螺子穴１４−１〜１４−３は、それぞれ、内壁に螺子溝が形成された円筒状の穴から形成されている。磁気ディスク記憶装置３−ｉは、図示されていない複数の左側螺子穴がさらに形成されている。複数の左側螺子穴は、右側面１５の反対側の左側面に形成されている。複数の左側螺子穴は、それぞれ、内壁に螺子溝が形成された円筒状の穴から形成されている。複数の右側螺子穴１４−１〜１４−３と複数の左側螺子穴とは、磁気ディスク記憶装置固定器具１と異なる他の器具に磁気ディスク記憶装置３−ｉが固定されるときに、複数の螺子がそれぞれ締結される。
【００１４】
磁気ディスク記憶装置３−ｉは、磁気ディスクを備え、内部空間５に配置されるコンピュータに情報伝達可能に接続されている。磁気ディスク記憶装置３−ｉは、コンピュータに制御されることにより、磁気ディスクを回転させ、磁気ディスクに情報を記録したり、磁気ディスクに記録された情報を読み出したりする。磁気ディスク記憶装置３−ｉは、磁気ディスクを回転させることにより、振動を発生させることがある。磁気ディスク記憶装置３−ｉは、さらに、振動または衝撃が与えられることにより、悪影響を受け、たとえば、リードライト性能が劣化したり、故障したりすることがある。
【００１５】
図５は、ＨＤＤ固定枠１１を示す斜視図である。ＨＤＤ固定枠１１は、図５に示されているように、内側枠２１と右側吸収材２２とを備えている。内側枠２１は、樹脂から形成され、底板部分２３と右側壁部分２４と左側壁部分２５と奥側壁部分２６とを備えている。底板部分２３は、概ね長方形状の板状に形成されている。右側壁部分２４は、概ね帯状に形成され、底板部分２３が沿う平面に垂直である平面に沿うように配置され、底板部分２３の１つの辺縁に接合されている。左側壁部分２５は、概ね帯状に形成され、右側壁部分２４が沿う平面に平行である平面に沿うように配置され、底板部分２３のうちの右側壁部分２４が接合されている辺縁の反対側の辺縁に接合されている。奥側壁部分２６は、概ね帯状に形成され、底板部分２３と右側壁部分２４と左側壁部分２５とにそれぞれ接合されている。奥側壁部分２６が沿う平面は、底板部分２３が沿う平面に垂直であり、かつ、右側壁部分２４と左側壁部分２５とにそれぞれ沿う平行面に垂直である。底板部分２３と右側壁部分２４と左側壁部分２５と奥側壁部分２６とは、磁気ディスク記憶装置３−ｉの放熱とＨＤＤ固定枠１１の軽量化とのために、切欠きまたは貫通孔が形成されることがある。
【００１６】
右側吸収材２２は、ゴム、ゲルに例示されるエラストマから形成され、長方形のシート状に形成されている。右側吸収材２２は、右側壁部分２４のうち左側壁部分２５に対向する右側壁内側面２７に接着されることにより、右側壁部分２４に固定されている。
【００１７】
図６は、ＨＤＤ固定枠１１を示す他の斜視図である。ＨＤＤ固定枠１１は、図６に示されているように、左側吸収材２８をさらに備えている。左側吸収材２８は、右側吸収材２２と同様にして、エラストマから形成され、長方形状のシート状に形成されている。左側吸収材２８は、左側壁部分２５のうち右側壁部分２４に対向する左側壁内側面２９に接着されることにより、左側壁部分２５に固定されている。
【００１８】
図７は、ＨＤＤ固定枠１１を示す側面図である。右側壁部分２４は、図７に示されているように、２つの可動保持ピン部３０−１〜３０−２と２つのピン用弾性部３１−１〜３１−２と右側ガイドレール３２と右奥側突起３３と右手前側突起３４と右側突起用弾性部３５とを備えている。２つの可動保持ピン部３０−１〜３０−２は、磁気ディスク記憶装置３−ｉの複数の右側螺子穴１４−１〜１４−３のうちの２つの右側螺子穴１４−１〜１４−２に対応している。２つの可動保持ピン部３０−１〜３０−２のうちの右側螺子穴１４−１に対応する第１可動保持ピン部３０−１は、磁気ディスク記憶装置３−ｉがＨＤＤ固定枠１１に適切に取り付けられたときに右側螺子穴１４−１の近傍に配置されるように、形成されている。２つの可動保持ピン部３０−１〜３０−２のうちの右側螺子穴１４−２に対応する第２可動保持ピン部３０−２は、磁気ディスク記憶装置３−ｉがＨＤＤ固定枠１１に適切に取り付けられたときに右側螺子穴１４−２の近傍に配置されるように、形成されている。右側壁部分２４は、２つの切欠き３６−１〜３６−２が形成されている。２つの切欠き３６−１〜３６−２のうちの第１切欠き３６−１は、第１可動保持ピン部３０−１を囲むように、形成されている。２つの切欠き３６−１〜３６−２のうちの第２切欠き３６−２は、第２可動保持ピン部３０−２を囲むように、形成されている。
【００１９】
２つのピン用弾性部３１−１〜３１−２のうちの第１ピン用弾性部３１−１は、一部が右側壁部分２４のうちの右側吸収材２２が固定される右側吸収材固定部位３７に接合され、他部が第１可動保持ピン部３０−１に接合されている。このため、第１ピン用弾性部３１−１は、右側吸収材固定部位３７に対して第１可動保持ピン部３０−１が移動するときに、弾性変形する。２つのピン用弾性部３１−１〜３１−２のうちの第２ピン用弾性部３１−２は、一部が右側吸収材固定部位３７に接合され、他部が第２可動保持ピン部３０−２に接合されている。このため、第２ピン用弾性部３１−２は、右側吸収材固定部位３７に対して第２可動保持ピン部３０−２が移動するときに、弾性変形する。
【００２０】
右側ガイドレール３２は、右側壁部分２４のうちの右側壁内側面２７の裏面である右側壁外側面３８から突出するように形成されている。右側ガイドレール３２は、直線状の右側ガイド溝４０を右側壁外側面３８に形成している。右側ガイド溝４０が沿う直線は、底板部分２３が沿う平面に平行である。
【００２１】
右奥側突起３３は、右側壁部分２４のうちの奥側壁部分２６に近い側の端に形成され、右側壁外側面３８から突出するように形成されている。右手前側突起３４は、右側壁部分２４のうちの右奥側突起３３が形成される端の反対側の端に形成され、右側壁外側面３８から突出するように形成されている。右手前側突起３４は、右側テーパ面３９が形成されている。右側テーパ面３９は、右手前側突起３４のうちの右奥側突起３３に近い側に形成され、右側壁外側面３８と右手前側突起３４の頭頂部とをなだらかに接続するように、形成されている。右側突起用弾性部３５は、右側吸収材固定部位３７と右手前側突起３４との間に形成されている。このため、右側突起用弾性部３５は、右手前側突起３４が右側吸収材固定部位３７に対して移動するときに、弾性変形する。
【００２２】
図８は、ＨＤＤ固定枠１１を示す他の側面図である。左側壁部分２５は、図８に示されているように、複数の固定保持ピン部４１−１〜４１−３と左側ガイドレール４２と左奥側突起４３と左手前側突起４４と左側突起用弾性部４５とを備えている。複数の固定保持ピン部４１−１〜４１−３は、磁気ディスク記憶装置３−ｉの複数の左側螺子穴に対応している。複数の固定保持ピン部４１−１〜４１−３のうちのある左側螺子穴に対応する固定保持ピン部４１−ｊ（ｊ＝１，２，３）は、磁気ディスク記憶装置３−ｉがＨＤＤ固定枠１１に適切に取り付けられたときにその左側螺子穴の近傍に配置されるように形成されている。
【００２３】
左側ガイドレール４２は、左側壁部分２５のうちの左側壁内側面２９の裏面である左側壁外側面４６から突出するように形成されている。左側ガイドレール４２は、直線状の左側ガイド溝４７を左側壁外側面４６に形成している。左側ガイド溝４７が沿う直線は、底板部分２３が沿う平面に平行である。
【００２４】
左奥側突起４３は、左側壁部分２５のうちの奥側壁部分２６に近い側の端に形成され、左側壁外側面４６から突出するように形成されている。左手前側突起４４は、左側壁部分２５のうちの左奥側突起４３が形成される端の反対側の端に形成され、左側壁外側面４６から突出するように形成されている。左手前側突起４４は、左側テーパ面４８が形成されている。左側テーパ面４８は、左手前側突起４４のうちの左奥側突起４３に近い側に形成され、左側壁外側面４６と左手前側突起４４の頭頂部とをなだらかに接続するように、形成されている。左側突起用弾性部４５は、左側壁部分２５のうちの左側吸収材２８が固定される左側吸収材固定部位４９と左手前側突起４４との間に形成されている。このため、左側突起用弾性部４５は、左手前側突起４４が左側吸収材固定部位４９に対して移動するときに、弾性変形する。
【００２５】
図９は、ＨＤＤ固定枠１１を示す平面図である。内側枠２１は、図９に示されているように、右側レバー５１と左側レバー５２とを備えている。右側レバー５１は、右側押付部５３と２つの右側ガイド部５４とを備えている。右側押付部５３は、平坦である帯状に形成され、右手前側突起３４の左側壁部分２５に近い側に配置され、右側壁部分２４が沿う平面と平行である平面に沿うように配置されている。右側押付部５３は、右側壁部分２４に対向する右側押付面５５が形成されている。２つの右側ガイド部５４は、それぞれ、屈曲している帯状に形成されている。２つの右側ガイド部５４は、それぞれ、右側押付部５３と右側壁部分２４のうちの右手前側突起３４が形成されている部位との間に配置され、ている。２つの右側ガイド部５４は、一端が右側押付部５３の両端にそれぞれ接合され、他端が右側壁部分２４のうちの右手前側突起３４が形成されている部位にそれぞれ接合されている。このため、２つの右側ガイド部５４は、左側壁部分２５から遠い側に右側押付部５３の両端から突出するように形成されている。また、右側押付部５３は、２つの右側ガイド部５４を介して、右手前側突起３４に固定されている。すなわち、右側レバー５１は、右手前側突起３４の左側壁部分２５に近い側に配置され、右手前側突起３４に固定されている。
【００２６】
左側レバー５２は、左側押付部５６と２つの左側ガイド部５７とを備えている。左側押付部５６は、平坦である帯状に形成され、左手前側突起４４の右側壁部分２４に近い側に配置され、左側壁部分２５が沿う平面と平行である平面に沿うように配置されている。左側押付部５６は、左側壁部分２５に対向する左側押付面５８が形成されている。２つの左側ガイド部５７は、それぞれ、屈曲している帯状に形成されている。２つの左側ガイド部５７は、左側押付部５６と左側壁部分２５のうちの左手前側突起４４が形成されている部位との間に配置されている。２つの左側ガイド部５７は、一端が左側押付部５６の両端にそれぞれ接合され、他端が左側壁部分２５のうちの左手前側突起４４が形成されている部位にそれぞれ接合されている。このため、２つの左側ガイド部５７は、右側壁部分２４から遠い側に左側押付部５６の両端から突出するように形成されている。また、左側押付部５６は、２つの左側ガイド部５７を介して、左手前側突起４４に固定されている。すなわち、左側レバー５２は、左手前側突起４４の右側壁部分２４に近い側に配置され、左手前側突起４４に固定されている。
【００２７】
図１０は、固定保持ピン部４１−ｊを示す断面図である。固定保持ピン部４１−ｊは、図１０に示されているように、凹面形成部６１とピン６２とを備えている。凹面形成部６１は、円板状に形成され、左側壁部分２５の左側壁外側面４６から突出するように形成されている。すなわち、凹面形成部６１は、左側壁部分２５の左側吸収材固定部位４９に対して固定されるように、左側壁部分２５に固定されている。凹面形成部６１は、凹面６３が形成されている。凹面６３は、左側壁内側面２９に対して凹んでいる面から形成され、すなわち、左側壁内側面２９より右側壁部分２４から遠い側に形成されている。ピン６２は、右側壁部分２４に向かって凹面６３から突出するように形成され、柱状部分６４と根本部分６５とを備えている。柱状部分６４は、円柱状に形成されている。柱状部分６４の径は、磁気ディスク記憶装置３−ｉに形成されている複数の右側螺子穴１４−１〜１４−３と複数の左側螺子穴との内径より小さい。根本部分６５は、ピン６２のうちの根本に近い部分を形成し、柱状部分６４と凹面形成部６１との間に配置されている。根本部分６５は、一端が柱状部分６４の一端に接合され、他端が凹面形成部６１に接合され、柱状部分６４を凹面形成部６１に固定している。根本部分６５は、さらに、凹面６３に近付くにつれて径が大きくなるように形成されている。すなわち、根本部分６５のうちの任意の部分の径は、柱状部分６４の径より大きい。
【００２８】
２つの可動保持ピン部３０−１〜３０−２は、それぞれ、固定保持ピン部４１−ｊと概ね同様に形成されている。すなわち、第１可動保持ピン部３０−１は、凹面形成部６１とピン６２とを備えている。凹面形成部６１に形成される凹面６３は、右側壁内側面２７に対して凹んでいる面から形成されている。２つの可動保持ピン部３０−１〜３０−２のピン６２は、凹面６３から左側壁部分２５に向かって突出するように形成されている。ここで、第１可動保持ピン部３０−１の凹面形成部６１は、固定保持ピン部４１−ｊの凹面形成部６１と異なり、第１ピン用弾性部３１−１を介して右側吸収材固定部位３７に支持されている。このため、第１可動保持ピン部３０−１のピン６２は、第１ピン用弾性部３１−１が弾性変形することにより、右側壁部分２４の右側吸収材固定部位３７に対して移動可能である。
【００２９】
図１１は、ＨＤＤユニット７−ｉを示す断面図である。ＨＤＤユニット７−ｉは、図１１に示されているように、磁気ディスク記憶装置３−ｉがＨＤＤ固定枠１１に適切に取り付けられることにより、形成される。磁気ディスク記憶装置３−ｉは、ＨＤＤ固定枠１１に適切に取り付けられるときに、右側壁部分２４と左側壁部分２５との間に配置されている。右側吸収材２２は、右側壁部分２４と磁気ディスク記憶装置３−ｉとの間に挟まれ、すなわち、右側壁部分２４と磁気ディスク記憶装置３−ｉとの間に配置され、磁気ディスク記憶装置３−ｉの右側面１５に接触している。左側吸収材２８は、左側壁部分２５と磁気ディスク記憶装置３−ｉとの間に挟まれ、すなわち、左側壁部分２５と磁気ディスク記憶装置３−ｉとの間に配置され、磁気ディスク記憶装置３−ｉの左側面に接触している。
【００３０】
ＨＤＤ固定枠１１の内側枠２１は、磁気ディスク記憶装置３−ｉがＨＤＤ固定枠１１に適切に取り付けられているときに、弾性変形する。ＨＤＤ固定枠１１の内側枠２１は、弾性変形することにより、右側吸収材２２と左側吸収材２８とが磁気ディスク記憶装置３−ｉに密着するように、右側吸収材２２と左側吸収材２８とに弾性力を与えている。右側吸収材２２と左側吸収材２８とは、磁気ディスク記憶装置３−ｉに密着することにより、内側枠２１が磁気ディスク記憶装置３−ｉから外れないように、摩擦力で内側枠２１を磁気ディスク記憶装置３−ｉに固定している。右側吸収材２２と左側吸収材２８とは、さらに、磁気ディスク記憶装置３−ｉがＨＤＤ固定枠１１に適切に取り付けられているときに、弾性変形し、内側枠２１の右側壁部分２４と左側壁部分２５との間を押し広げるように、内側枠２１に弾性力を与えている。
【００３１】
２つの可動保持ピン部３０−１〜３０−２のピン６２は、図示されていないが、磁気ディスク記憶装置３−ｉがＨＤＤ固定枠１１に適切に取り付けられているときに、磁気ディスク記憶装置３−ｉの２つの右側螺子穴１４−１〜１４−２にそれぞれ嵌合している。複数の固定保持ピン部４１−１〜４１−３のピン６２は、磁気ディスク記憶装置３−ｉがＨＤＤ固定枠１１に適切に取り付けられているときに、磁気ディスク記憶装置３−ｉの複数の左側螺子穴に嵌合している。
【００３２】
図１２は、外側枠６を示す斜視図である。外側枠６は、図１２に示されているように、概ね直方体に形成され、複数の格納空間８−１〜８−３が内部に形成される箱型に形成されている。外側枠６は、さらに、複数の格納空間８−１〜８−３を外側枠６の外部に連通する開口部７０が、その直方体の１つの面に対応する領域に形成されている。外側枠６は、底板７１と天板７２と右側壁７３と左側壁７４とを備えている。底板７１は、長方形状の金属板から形成されている。天板７２は、底板７１と概ね同形である金属板から形成されている。底板７１と天板７２とは、互いに平行である２つの平行面にそれぞれ沿うように配置されている。右側壁７３は、長方形状の金属板から形成されている。左側壁７４は、右側壁７３と概ね同形である長方形状の金属板から形成されている。右側壁７３と左側壁７４とは、互いに平行である２つの平行面にそれぞれ沿うように配置されている。右側壁７３と左側壁７４とにそれぞれ沿う２つの平行面は、底板７１と天板７２とにそれぞれ沿う２つの平行面に垂直である。外側枠６は、底板７１と天板７２と右側壁７３と左側壁７４とが互いに接合されることにより形成されている。
【００３３】
右側壁７３は、開口部７０が形成されている側の端に右側前縁７５が形成されている。右側壁７３は、複数の右側取付部７６−１〜７６−３を備えている。複数の右側取付部７６−１〜７６−３のうちの第１右側取付部７６−１は、右側壁７３のうちの天板７２に近い側の領域に配置されている。複数の右側取付部７６−１〜７６−３のうちの第３右側取付部７６−３は、右側壁７３のうちの底板７１に近い側の領域に配置されている。複数の右側取付部７６−１〜７６−３のうちの第２右側取付部７６−２は、右側壁７３のうちの第１右側取付部７６−１と第３右側取付部７６−３との間の領域に配置されている。
【００３４】
第１右側取付部７６−１は、複数の右側ガイドレール用受け突起７７と右側突起用受け突起７８と右側受け孔７９とが形成されている。複数の右側ガイドレール用受け突起７７は、それぞれ、左側壁７４に向かって突出し、拘束方向Ｙに平行である直線に沿って並んでいる。拘束方向Ｙは、底板７１と天板７２とがそれぞれ沿う２つの平行面に平行であり、かつ、右側壁７３と左側壁７４とがそれぞれ沿う２つの平行面に平行である。右側突起用受け突起７８は、第１右側取付部７６−１のうちの右側前縁７５から遠い側の端に配置され、左側壁７４に向かって突出している。右側受け孔７９は、第１右側取付部７６−１のうちの右側前縁７５に近い側の領域に形成され、右側壁７３の内側と外側とを貫通している。第２右側取付部７６−２と第３右側取付部７６−３とに関しても、第１右側取付部７６−１と同様にして、複数の右側ガイドレール用受け突起７７と右側突起用受け突起７８と右側受け孔７９とが形成されている。
【００３５】
左側壁７４は、開口部７０が形成されている側の端に左側前縁８１が形成されている。左側壁７４は、複数の左側取付部８２−１〜８２−３を備えている。複数の左側取付部８２−１〜８２−３のうちの第１左側取付部８２−１は、左側壁７４のうちの右側壁７３の第１右側取付部７６−１に対向する領域に配置され、左側壁７４のうちの天板７２に近い側の領域に配置されている。複数の左側取付部８２−１〜８２−３のうちの第３左側取付部８２−３は、左側壁７４のうちの右側壁７３の第３右側取付部７６−３に対向する領域に配置され、左側壁７４のうちの底板７１に近い側の領域に配置されている。複数の左側取付部８２−１〜８２−３のうちの第２左側取付部８２−２は、左側壁７４のうちの右側壁７３の第２右側取付部７６−２に対向する領域に配置され、左側壁７４のうちの第１左側取付部８２−１と第３左側取付部８２−３との間の領域に配置されている。
【００３６】
第１左側取付部８２−１は、左側受け孔８３が形成されている。左側受け孔８３は、左側壁７４のうちの右側壁７３の第１右側取付部７６−１の右側受け孔７９に対向する領域に形成され、第１左側取付部８２−１のうちの左側前縁８１に近い側の領域に形成されている。左側受け孔８３は、左側壁７４の内側と外側とを貫通している。第２左側取付部８２−２と第３左側取付部８２−３とに関しても、第１左側取付部８２−１と同様にして、左側受け孔８３が形成されている。すなわち、第２左側取付部８２−２の左側受け孔８３は、左側壁７４のうちの右側壁７３の第２右側取付部７６−２の右側受け孔７９に対向する領域に形成されている。第３左側取付部８２−３の左側受け孔８３は、左側壁７４のうちの右側壁７３の第３右側取付部７６−３の右側受け孔７９に対向する領域に形成されている。
【００３７】
図１３は、外側枠６を示す正面図である。左側壁７４の第１左側取付部８２−１は、図１３に示されているように、複数の左側ガイドレール用受け突起８４と左側突起用受け突起８５とがさらに形成されている。複数の左側ガイドレール用受け突起８４は、右側壁７３の第１右側取付部７６−１の複数の右側ガイドレール用受け突起７７に対向するように配置され、すなわち、拘束方向Ｙに平行である直線に沿って並ぶように配置されている。複数の左側ガイドレール用受け突起８４は、それぞれ、右側壁７３に向かって突出している。左側突起用受け突起８５は、右側壁７３の第１右側取付部７６−１の右側突起用受け突起７８に対向するように配置され、すなわち、第１左側取付部８２−１のうちの左側前縁８１から遠い側の端に配置されている。左側突起用受け突起８５は、右側壁７３に向かって突出している。
【００３８】
第２左側取付部８２−２と第３左側取付部８２−３とは、第１左側取付部８２−１と同様にして、複数の左側ガイドレール用受け突起８４と左側突起用受け突起８５とが形成されている。すなわち、第２左側取付部８２−２の複数の左側ガイドレール用受け突起８４は、左側壁７４のうちの右側壁７３の第２右側取付部７６−２の複数の右側ガイドレール用受け突起７７に対向する領域に形成されている。第２左側取付部８２−２の複数の左側突起用受け突起８５は、左側壁７４のうちの右側壁７３の第２右側取付部７６−２の右側突起用受け突起７８に対向する領域に形成されている。第３左側取付部８２−３の複数の左側ガイドレール用受け突起８４は、左側壁７４のうちの右側壁７３の第３右側取付部７６−３の複数の右側ガイドレール用受け突起７７に対向する領域に形成されている。第３左側取付部８２−３の複数の左側突起用受け突起８５は、左側壁７４のうちの右側壁７３の第３右側取付部７６−３の右側突起用受け突起７８に対向する領域に形成されている。
【００３９】
このとき、複数の格納空間８−１〜８−３のうちの第１格納空間８−１は、外側枠６の内部のうちの、右側壁７３の第１右側取付部７６−１と左側壁７４の第１左側取付部８２−１との間に配置されている。また、複数の格納空間８−１〜８−３のうちの第２格納空間８−２は、外側枠６の内部のうちの、右側壁７３の第２右側取付部７６−２と左側壁７４の第２左側取付部８２−２との間に配置されている。複数の格納空間８−１〜８−３のうちの第３格納空間８−３は、外側枠６の内部のうちの、右側壁７３の第３右側取付部７６−３と左側壁７４の第３左側取付部８２−３との間に配置されている。
【００４０】
図１４は、複数のＨＤＤユニット７−１〜７−３が適切に取り付けられた外側枠６を示す斜視図である。複数のＨＤＤユニット７−１〜７−３のうちの第１ＨＤＤユニット７−１は、図１４に示されているように、複数の格納空間８−１〜８−３のうちの第１格納空間８−１に配置され、外側枠６に適切に取り付けられている。複数のＨＤＤユニット７−１〜７−３のうちの第２ＨＤＤユニット７−２は、複数の格納空間８−１〜８−３のうちの第２格納空間８−２に配置され、外側枠６に適切に取り付けられている。複数のＨＤＤユニット７−１〜７−３のうちの第３ＨＤＤユニット７−３は、複数の格納空間８−１〜８−３のうちの第３格納空間８−３に配置され、外側枠６に適切に取り付けられている。
【００４１】
第１右側取付部７６−１の右側受け孔７９は、第１ＨＤＤユニット７−１が第１格納空間８−１で外側枠６に適切に取り付けられたときに、第１ＨＤＤユニット７−１のＨＤＤ固定枠１１の右手前側突起３４が嵌合している。第１左側取付部８２−１の左側受け孔８３は、図示されていないが、第１ＨＤＤユニット７−１が第１格納空間８−１で外側枠６に適切に取り付けられたときに、第１ＨＤＤユニット７−１のＨＤＤ固定枠１１の左手前側突起４４が嵌合している。第１ＨＤＤユニット７−１は、右手前側突起３４が右側受け孔７９に嵌合し、左手前側突起４４が左側受け孔８３に嵌合することにより、拘束方向Ｙの手前側に移動して外側枠６から外れないように、外側枠６に支持されている。
【００４２】
第１右側取付部７６−１の右側突起用受け突起７８は、図示されていないが、第１ＨＤＤユニット７−１が外側枠６に適切に取り付けられたときに、第１ＨＤＤユニット７−１のＨＤＤ固定枠１１の右奥側突起３３が接触している。第１左側取付部８２−１の左側突起用受け突起８５は、第１ＨＤＤユニット７−１が外側枠６に適切に取り付けられたときに、第１ＨＤＤユニット７−１のＨＤＤ固定枠１１の左奥側突起４３が接触している。第１ＨＤＤユニット７−１は、右奥側突起３３が右側突起用受け突起７８に接触し、左奥側突起４３が左側突起用受け突起８５に接触することにより、拘束方向Ｙの奥側に移動して外側枠６から外れないように、外側枠６に支持されている。
【００４３】
第１右側取付部７６−１の複数の右側ガイドレール用受け突起７７は、図示されていないが、第１ＨＤＤユニット７−１が外側枠６に適切に取り付けられたときに、第１ＨＤＤユニット７−１の右側ガイド溝４０に嵌合している。第１左側取付部８２−１の複数の左側ガイドレール用受け突起８４は、複数の右側ガイドレール用受け突起７７と同様にして、第１ＨＤＤユニット７−１が外側枠６に適切に取り付けられたときに、第１ＨＤＤユニット７−１の左側ガイド溝４７に嵌合している。第１ＨＤＤユニット７−１は、複数の右側ガイドレール用受け突起７７が右側ガイド溝４０に嵌合し、複数の左側ガイドレール用受け突起８４が左側ガイド溝４７に嵌合することにより、拘束方向Ｚに平行に移動しないように、外側枠６に支持されている。拘束方向Ｚは、底板７１と天板７２とがそれぞれ沿う平行面に垂直であり、すなわち、右側壁７３と左側壁７４とが沿う平面に平行である。第１ＨＤＤユニット７−１は、さらに、複数の右側ガイドレール用受け突起７７が右側ガイド溝４０に嵌合し、複数の左側ガイドレール用受け突起８４が左側ガイド溝４７に嵌合することにより、拘束方向Ｙに平行に移動しないように外側枠６に支持されている。
【００４４】
第１ＨＤＤユニット７−１は、外側枠６に適切に取り付けられたときに、２つの可動保持ピン部３０−１〜３０−２の近傍に右側壁７３が配置されることにより、２つの可動保持ピン部３０−１〜３０−２の可動域が制限される。第１ＨＤＤユニット７−１は、２つの可動保持ピン部３０−１〜３０−２の可動域が制限されることにより、２つの可動保持ピン部３０−１〜３０−２のピン６２が磁気ディスク記憶装置３−ｉの２つの右側螺子穴１４−１〜１４−２から外れることが防止される。２つの可動保持ピン部３０−１〜３０−２のピン６２は、２つの可動保持ピン部３０−１〜３０−２の可動域が制限されることにより、２つの右側螺子穴１４−１〜１４−２から外れることが防止される。第１ＨＤＤユニット７−１は、２つの可動保持ピン部３０−１〜３０−２のピン６２が２つの右側螺子穴１４−１〜１４−２から外れることが防止されることにより、磁気ディスク記憶装置３−ｉがＨＤＤ固定枠１１から外れることが防止されている。
【００４５】
第１ＨＤＤユニット７−１は、外側枠６に適切に取り付けられたときに、第１右側取付部７６−１と第１左側取付部８２−１とに挟まれる。すなわち、第１右側取付部７６−１の複数の右側ガイドレール用受け突起７７は、さらに、図示されていないが、第１ＨＤＤユニット７−１が外側枠６に適切に取り付けられたときに、第１ＨＤＤユニット７−１の右側ガイド溝４０の底に接触している。第１左側取付部８２−１の複数の左側ガイドレール用受け突起８４は、複数の右側ガイドレール用受け突起７７と同様にして、第１ＨＤＤユニット７−１が外側枠６に適切に取り付けられたときに、第１ＨＤＤユニット７−１の左側ガイド溝４７の底に接触している。第１ＨＤＤユニット７−１は、第１右側取付部７６−１と第１左側取付部８２−１とに挟まれることにより、拘束方向Ｘに平行に移動しないように、外側枠６に支持されている。拘束方向Ｘは、右側壁７３と左側壁７４とがそれぞれ沿う平行面に垂直であり、すなわち、底板７１と天板７２とがそれぞれ沿う平行面に平行である。
【００４６】
右側吸収材２２と左側吸収材２８とは、第１ＨＤＤユニット７−１が第１右側取付部７６−１と第１左側取付部８２−１とに挟まれることにより、厚さが薄くなるように弾性変形する。右側吸収材２２と左側吸収材２８とは、弾性変形することにより、右側壁部分２４と左側壁部分２５とが離間するように、右側壁部分２４と左側壁部分２５とに弾性力を与える。
【００４７】
複数の右側ガイドレール用受け突起７７は、右側壁部分２４と左側壁部分２５とに弾性力が与えられることにより、右側ガイド溝４０の底に押し付けられ、右側ガイド溝４０から外れることが防止される。複数の左側ガイドレール用受け突起８４は、右側壁部分２４と左側壁部分２５とに弾性力が与えられることにより、左側ガイド溝４７の底に押し付けられ、左側ガイド溝４７から外れることが防止される。
【００４８】
複数の右側ガイドレール用受け突起７７は、右側壁部分２４と左側壁部分２５とに弾性力が与えられることにより、さらに、右側ガイド溝４０に押し付けられ、右側ガイド溝４０の底との間に摩擦力が発生している。複数の左側ガイドレール用受け突起８４は、右側壁部分２４と左側壁部分２５とに弾性力が与えられることにより、さらに、左側ガイド溝４７の底に押し付けられ、左側ガイド溝４７の底との間に摩擦力が発生している。第１ＨＤＤユニット７−１は、これらの摩擦力により、外側枠６に対して移動しないように外側枠６に固定されている。
【００４９】
すなわち、第１右側取付部７６−１と第１左側取付部８２−１とは、第１ＨＤＤユニット７−１が第１格納空間８−１で外側枠６に適切に取り付けられたときに、第１ＨＤＤユニット７−１が所定の位置で外側枠６に固定されるように、形成されている。第２右側取付部７６−２と第２左側取付部８２−２とに関しても、同様にして、第２ＨＤＤユニット７−２が第２格納空間８−２で外側枠６に適切に取り付けられたときに、第２ＨＤＤユニット７−２が所定の位置で外側枠６に固定されるように、形成されている。第３右側取付部７６−３と第３左側取付部８２−３とに関しても、同様にして、第３ＨＤＤユニット７−３が第３格納空間８−３で外側枠６に適切に取り付けられたときに、第３ＨＤＤユニット７−３が所定の位置で外側枠６に固定されるように、形成されている。
【００５０】
磁気ディスク記憶装置３−ｉは、ＨＤＤユニット７−ｉが外側枠６に適切に取り付けられたときに、ＨＤＤ固定枠１１の内側枠２１に直接に接触しないで、右側吸収材２２と左側吸収材２８とを介してＨＤＤ固定枠１１に弾性支持されている。磁気ディスク記憶装置固定器具１は、磁気ディスク記憶装置３−ｉがＨＤＤ固定枠１１に弾性支持されていることにより、ＨＤＤ固定枠１１を介して外側枠６から磁気ディスク記憶装置３−ｉに伝達される振動を低減することができる。磁気ディスク記憶装置固定器具１は、磁気ディスク記憶装置３−ｉがＨＤＤ固定枠１１に弾性支持されていることにより、ＨＤＤ固定枠１１を介して磁気ディスク記憶装置３−ｉから外側枠６に伝達される振動を低減することができる。
【００５１】
柱状部分６４の径が複数の右側螺子穴１４−１〜１４−３と複数の左側螺子穴との内径より小さいことにより、ピン６２がこれらの螺子穴に嵌合している場合でも、ピン６２とこれらの螺子穴の内壁との間にクリアランスが形成されている。ピン６２は、このようなクリアランスが形成されていることにより、これらの螺子穴の中で移動することができる。磁気ディスク記憶装置固定器具１は、ピン６２がこれらの螺子穴の中で移動することにより、ＨＤＤ固定枠１１を介して外側枠６から磁気ディスク記憶装置３−ｉに伝達される振動・衝撃を低減することができる。磁気ディスク記憶装置固定器具１は、ピン６２がこれらの螺子穴の中で移動することにより、さらに、ＨＤＤ固定枠１１を介して磁気ディスク記憶装置３−ｉから外側枠６に伝達される振動を低減することができる。
【００５２】
［磁気ディスク記憶装置固定器具の製造方法］
内側枠２１は、内側枠２１に設けられる複数の部位が同一の材料から形成されていることにより、射出成形により作製されることができ、容易に作製されることができる。ＨＤＤ固定枠１１は、内側枠２１が容易に作製されることにより、容易に作製されることができる。外側枠６は、底板７１と天板７２と右側壁７３と左側壁７４とがそれぞれ金属板から形成されていることにより、１枚の金属板が板金加工されることにより作製されることができ、容易に作製されることができる。磁気ディスク記憶装置固定器具１は、ＨＤＤ固定枠１１が容易に作製され、外側枠６が容易に作製されることにより、容易に作製されることができる。
【００５３】
［磁気ディスク記憶装置を情報処理装置に取り付ける取付方法］
ユーザは、磁気ディスク記憶装置３−ｉを情報処理装置１０に取り付けるときに、まず、磁気ディスク記憶装置３−ｉをＨＤＤ固定枠１１に取り付けることにより、ＨＤＤユニット７−ｉを形成する。すなわち、ユーザは、ＨＤＤ固定枠１１の複数の固定保持ピン部４１−１〜４１−３のピン６２を磁気ディスク記憶装置３−ｉの複数の左側螺子穴に嵌合させる。ユーザは、次いで、２つの可動保持ピン部３０−１〜３０−２が左側壁部分２５から遠ざかるように、２つのピン用弾性部３１−１〜３１−２をそれぞれ弾性変形させる。ユーザは、２つのピン用弾性部３１−１〜３１−２が弾性変形しているときに、磁気ディスク記憶装置３−ｉをＨＤＤ固定枠１１に対して所定の位置に移動させる。
【００５４】
磁気ディスク記憶装置３−ｉは、所定の位置に配置されることにより、図１１に示されているように、右側壁部分２４と左側壁部分２５との間に配置される。このとき、右側吸収材２２は、右側壁部分２４と磁気ディスク記憶装置３−ｉとの間に挟まれ、左側吸収材２８は、左側壁部分２５と磁気ディスク記憶装置３−ｉとの間に挟まれる。ＨＤＤ固定枠１１の内側枠２１は、磁気ディスク記憶装置３−ｉが所定の位置に配置されることにより、弾性変形し、右側吸収材２２と左側吸収材２８とを磁気ディスク記憶装置３−ｉに密着するように、右側吸収材２２と左側吸収材２８とに弾性力を与える。右側吸収材２２と左側吸収材２８とは、磁気ディスク記憶装置３−ｉに密着することにより、磁気ディスク記憶装置３−ｉが内側枠２１から外れないように、摩擦力で磁気ディスク記憶装置３−ｉを内側枠２１に固定する。さらに、右側吸収材２２と左側吸収材２８とは、厚さが薄くなるように弾性変形し、内側枠２１の右側壁部分２４と左側壁部分２５との間を押し広げるように、内側枠２１に弾性力を与える。
【００５５】
ユーザは、磁気ディスク記憶装置３−ｉが所定の位置に配置された後に、２つのピン用弾性部３１−１〜３１−２を復元させ、２つの可動保持ピン部３０−１〜３０−２のピン６２を磁気ディスク記憶装置３−ｉの２つの右側螺子穴１４−１〜１４−２に嵌合させる。磁気ディスク記憶装置３−ｉとＨＤＤ固定枠１１は、複数の固定保持ピン部４１−１〜４１−３と２つの可動保持ピン部３０−１〜３０−２とが複数の左側螺子穴と２つの右側螺子穴１４−１〜１４−２とに嵌合することにより、ＨＤＤユニット７−ｉに形成される。このとき、２つの可動保持ピン部３０−１〜３０−２は、一人のユーザの両手の指でそれぞれ移動させることができる。このため、ＨＤＤ固定枠１１は、可動保持ピン部が３つ以上設けられた他のＨＤＤ固定枠に比較して、磁気ディスク記憶装置３−ｉをＨＤＤ固定枠１１に取り付ける作業を容易にすることができる。
【００５６】
磁気ディスク記憶装置３−ｉは、複数の固定保持ピン部４１−１〜４１−３が複数の左側螺子穴に嵌合し、２つの可動保持ピン部３０−１〜３０−２が２つの右側螺子穴１４−１〜１４−２に嵌合することにより、ＨＤＤ固定枠１１の所定の位置に位置決めされる。磁気ディスク記憶装置３−ｉは、複数の固定保持ピン部４１−１〜４１−３が複数の左側螺子穴に嵌合し、２つの可動保持ピン部３０−１〜３０−２が２つの右側螺子穴１４−１〜１４−２に嵌合することにより、ＨＤＤ固定枠１１から外れることが防止される。ユーザは、磁気ディスク記憶装置３−ｉがＨＤＤ固定枠１１から外れることが防止されていることにより、右側レバー５１と左側レバー５２とを把持してＨＤＤユニット７−ｉを容易に取り扱うことができる。
【００５７】
図１５は、筐体２に固定された外側枠６に対して複数のＨＤＤユニット７−１〜７−３が着脱される様子を示す斜視図である。ユーザは、第１ＨＤＤユニット７−１が形成された後に、図１５に示されているように、筐体２に固定された外側枠６に第１ＨＤＤユニット７−１を取り付ける。すなわち、ユーザは、まず、第１ＨＤＤユニット７−１の右側ガイド溝４０に第１右側取付部７６−１の複数の右側ガイドレール用受け突起７７を嵌合させ、左側ガイド溝４７に第１左側取付部８２−１の複数の左側ガイドレール用受け突起８４を嵌合させる。第１ＨＤＤユニット７−１は、右側ガイド溝４０に複数の右側ガイドレール用受け突起７７が嵌合し、左側ガイド溝４７に複数の左側ガイドレール用受け突起８４が嵌合することにより、拘束方向Ｚに移動することが防止され、拘束方向Ｙに移動可能に支持される。
【００５８】
ユーザは、右側ガイド溝４０に複数の右側ガイドレール用受け突起７７が嵌合し、左側ガイド溝４７に複数の左側ガイドレール用受け突起８４が嵌合した後に、第１ＨＤＤユニット７−１を外側枠６の奥側に移動させる。第１ＨＤＤユニット７−１は、外側枠６の奥側に移動することにより、右側前縁７５が右側テーパ面３９に接触し、左側前縁８１が左側テーパ面４８に接触する。右側前縁７５は、右側テーパ面３９に接触した後に、第１ＨＤＤユニット７−１が外側枠６の奥側にさらに移動することにより、右側テーパ面３９を滑り、右手前側突起３４を左手前側突起４４に向かって移動させる。第１ＨＤＤユニット７−１の右側突起用弾性部３５は、右手前側突起３４が左手前側突起４４に向かって移動することにより、弾性変形する。右側突起用弾性部３５は、弾性変形しているときに、右手前側突起３４が左手前側突起４４から離れるように、右手前側突起３４に弾性力を与えている。第１ＨＤＤユニット７−１の左側突起用弾性部４５に関しても、第１ＨＤＤユニット７−１が外側枠６の奥側に移動するときに、左手前側突起４４が右手前側突起３４に向かって移動することにより、弾性変形する。第１ＨＤＤユニット７−１は、右手前側突起３４と左手前側突起４４とが互いに接近していることにより、右手前側突起３４と左手前側突起４４とが右側前縁７５と左側前縁８１とにそれぞれ突き当たらないで、外側枠６の奥側にさらに移動することができる。
【００５９】
第１ＨＤＤユニット７−１は、外側枠６の奥側に移動することにより、右奥側突起３３が右側突起用受け突起７８に突き当たり、左奥側突起４３が左側突起用受け突起８５に突き当たる。第１ＨＤＤユニット７−１は、右奥側突起３３が右側突起用受け突起７８に突き当たり、左奥側突起４３が左側突起用受け突起８５に突き当たることにより、外側枠６の所定の位置に配置される。右手前側突起３４は、右側突起用弾性部３５の弾性力が与えられていることにより、第１ＨＤＤユニット７−１が外側枠６の所定の位置に配置されたときに、右側受け孔７９に向かって移動し、右側受け孔７９に嵌合する。左手前側突起４４は、左側突起用弾性部４５の弾性力が与えられていることにより、第１ＨＤＤユニット７−１が外側枠６の所定の位置に配置されたときに、左側受け孔８３に向かって移動し、左側受け孔８３に嵌合する。第１ＨＤＤユニット７−１は、右手前側突起３４が右側受け孔７９に嵌合し、左手前側突起４４が左側受け孔８３に嵌合することにより、手前側に移動して外側枠６から外れないように外側枠６に支持される。
【００６０】
ユーザは、第１ＨＤＤユニット７−１を外側枠６に取り付けることと同様にして、第２ＨＤＤユニット７−２と第３ＨＤＤユニット７−３とを外側枠６に取り付けることができる。このような取付方法によれば、ユーザは、螺子止めする必要がなく、磁気ディスク記憶装置３−ｉを情報処理装置１０に容易に取り付けることができる。
【００６１】
［磁気ディスク記憶装置を情報処理装置から取り外す取外方法］
ユーザは、情報処理装置１０から磁気ディスク記憶装置３−ｉを取り外すときに、まず、筐体２に固定された外側枠６からＨＤＤユニット７−ｉを取り外す。すなわち、ユーザは、右側レバー５１と左側レバー５２とに指を掛けて、右側押付部５３と左側押付部５６とが接近するように、右側押付面５５と左側押付面５８とを押さえる。ＨＤＤユニット７−ｉは、右側押付部５３と左側押付部５６とが接近することにより、右手前側突起３４が右側受け孔７９から外れ、左手前側突起４４が左側受け孔８３から外れる。ＨＤＤユニット７−ｉは、右手前側突起３４が右側受け孔７９から外れ、左手前側突起４４が左側受け孔８３から外れることにより、拘束方向Ｙの手前側に移動することができるようになる。
【００６２】
ユーザは、右手前側突起３４が右側受け孔７９から外れ、左手前側突起４４が左側受け孔８３から外れた後に、右側レバー５１と左側レバー５２とに指を掛けた状態のまま、外側枠６からＨＤＤユニット７−ｉを拘束方向Ｙの手前側に引き抜く。ＨＤＤユニット７−ｉは、２つの右側ガイド部５４と２つの左側ガイド部５７とが設けられていることにより、右側押付面５５と左側押付面５８とにそれぞれ接触している２つの指が右側レバー５１と左側レバー５２とから外れることが防止することができる。ユーザは、右側レバー５１と左側レバー５２とに掛けられた２つの指が外れることが防止されていることにより、右側レバー５１と左側レバー５２とに指を掛けてＨＤＤユニット７−ｉを容易に取り扱うことができる。
【００６３】
ユーザは、ＨＤＤユニット７−ｉが外側枠６から引き抜かれた後に、ＨＤＤ固定枠１１から磁気ディスク記憶装置３−ｉを取り外す。すなわち、ユーザは、２つの可動保持ピン部３０−１〜３０−２のピン６２が磁気ディスク記憶装置３−ｉの２つの右側螺子穴１４−１〜１４−２からそれぞれ外れるように、２つのピン用弾性部３１−１〜３１−２をそれぞれ弾性変形させる。ユーザは、２つの可動保持ピン部３０−１〜３０−２が２つの右側螺子穴１４−１〜１４−２から外れた後に、磁気ディスク記憶装置３−ｉが右側壁部分２４から遠ざかるように、磁気ディスク記憶装置３−ｉを移動させる。ユーザは、磁気ディスク記憶装置３−ｉが右側壁部分２４から遠ざかった後に、複数の固定保持ピン部４１−１〜４１−３のピン６２を複数の左側螺子穴から外し、磁気ディスク記憶装置３−ｉをＨＤＤ固定枠１１から取り外す。
【００６４】
このような取外方法によれば、ユーザは、螺子を外す必要がなく、磁気ディスク記憶装置３−ｉを情報処理装置１０から取り外すことができる。さらに、磁気ディスク記憶装置固定器具１は、情報処理装置１０に対して磁気ディスク記憶装置３−ｉを着脱する作業が容易であることにより、情報処理装置１０の磁気ディスク記憶装置３−ｉをメンテナンスするユーザの作業を容易にすることができる。
【００６５】
［磁気ディスク記憶装置固定器具の効果］
実施例の磁気ディスク記憶装置固定器具１は、外側枠６と内側枠２１と右側吸収材２２と左側吸収材２８とを備えている。外側枠６は、磁気ディスク記憶装置固定器具１を介して磁気ディスク記憶装置３−ｉが固定される情報処理装置１０の筐体２に固定される。内側枠２１は、外側枠６に取り付けられる。右側吸収材２２と左側吸収材２８とは、磁気ディスク記憶装置３−ｉが内側枠２１に取り付けられるときに、磁気ディスク記憶装置３−ｉと内側枠２１との間に挟まれるように内側枠２１に固定されている。右側吸収材２２と左側吸収材２８とは、磁気ディスク記憶装置３−ｉが内側枠２１に取り付けられ、かつ、内側枠２１が外側枠６に取り付けられているときに、弾性変形し、外側枠６に内側枠２１が接触するように、内側枠２１に弾性力を与えている。
【００６６】
このような磁気ディスク記憶装置固定器具１は、右側吸収材２２と左側吸収材２８との弾性力により、磁気ディスク記憶装置３−ｉを適切に内側枠２１に固定することができ、内側枠２１を外側枠６に適切に固定することができる。磁気ディスク記憶装置固定器具１は、右側吸収材２２と左側吸収材２８との弾性力を用いることにより、螺子止めすることなしで、ＨＤＤ固定枠１１を介して磁気ディスク記憶装置３−ｉを外側枠６に固定することができる。磁気ディスク記憶装置固定器具１は、磁気ディスク記憶装置３−ｉが外側枠６に固定されるときに、螺子止めする必要がないことにより、外側枠６に対して磁気ディスク記憶装置３−ｉを着脱する作業を容易にすることができる。磁気ディスク記憶装置固定器具１は、さらに、右側吸収材２２と左側吸収材２８とを介して磁気ディスク記憶装置３−ｉが弾性支持されていることにより、外側枠６から磁気ディスク記憶装置３−ｉに伝達される振動・衝撃を低減することができる。磁気ディスク記憶装置固定器具１は、さらに、右側吸収材２２と左側吸収材２８とを介して磁気ディスク記憶装置３−ｉが支持されていることにより、磁気ディスク記憶装置３−ｉから外側枠６に伝達される振動・衝撃を低減することができる。
【００６７】
また、実施例の磁気ディスク記憶装置固定器具１の内側枠２１は、２つの可動保持ピン部３０−１〜３０−２と２つのピン用弾性部３１−１〜３１−２とをさらに備えている。磁気ディスク記憶装置３−ｉは、磁気ディスク記憶装置３−ｉが他の器具に固定されるときに螺子が締結される２つの右側螺子穴１４−１〜１４−２が形成されている。２つの可動保持ピン部３０−１〜３０−２に設けられるピン６２は、２つの右側螺子穴１４−１〜１４−２にそれぞれ嵌合する。２つのピン用弾性部３１−１〜３１−２は、内側枠２１のうちの右側吸収材２２が固定される右側吸収材固定部位３７に対して２つの可動保持ピン部３０−１〜３０−２のピン６２が移動するように、弾性変形する。
【００６８】
このような磁気ディスク記憶装置固定器具１は、２つの可動保持ピン部３０−１〜３０−２を用いて、磁気ディスク記憶装置３−ｉを所定の位置に位置決めし、磁気ディスク記憶装置３−ｉがＨＤＤ固定枠１１から外れることを防止することができる。ユーザは、２つのピン用弾性部３１−１〜３１−２を変形させることにより、２つの可動保持ピン部３０−１〜３０−２のピン６２を２つの右側螺子穴１４−１〜１４−２に対して容易に入れたり出したりすることができる。ユーザは、２つの可動保持ピン部３０−１〜３０−２のピン６２を２つの右側螺子穴１４−１〜１４−２に対して入れたり出したりすることにより、内側枠２１対して磁気ディスク記憶装置３−ｉを容易に着脱することができる。ユーザは、磁気ディスク記憶装置３−ｉに予め形成されている２つの右側螺子穴１４−１〜１４−２を２つの可動保持ピン部３０−１〜３０−２との嵌合に利用することにより、磁気ディスク記憶装置３−ｉに新規に穴を形成する必要がない。このため、磁気ディスク記憶装置固定器具１は、外側枠６に磁気ディスク記憶装置３−ｉを固定する作業を容易にすることができる。
【００６９】
ところで、既述の実施例の磁気ディスク記憶装置固定器具１は、右側吸収材固定部位３７に対して２つの可動保持ピン部３０−１〜３０−２が移動可能であるが、２つの可動保持ピン部３０−１〜３０−２が右側吸収材固定部位３７に固定されていてもよい。このような場合でも、磁気ディスク記憶装置固定器具１は、左側吸収材固定部位４９に対して右側吸収材固定部位３７が十分に大きく移動可能であるときに、２つの可動保持ピン部３０−１〜３０−２を２つの右側螺子穴１４−１〜１４−２に嵌合可能である。
【００７０】
また、実施例の磁気ディスク記憶装置固定器具１のピン６２は、根元に近付くにつれて径が大きくなるように形成されている。このような磁気ディスク記憶装置固定器具１は、ピン６２の根本に応力が集中することを回避し、ピン６２が破損することを防止することができる。ところで、既述の実施例の磁気ディスク記憶装置固定器具１のピン６２は、根元に近付くにつれて径が大きくなるように形成されているが、ピン６２の強度が十分に大きいときに、柱状に形成されていてもよい。
【００７１】
また、実施例の磁気ディスク記憶装置固定器具１の外側枠６は、複数の右側ガイドレール用受け突起７７と複数の左側ガイドレール用受け突起８４とを備えている。内側枠２１は、右側ガイドレール３２と左側ガイドレール４２とを備えている。右側ガイドレール３２は、内側枠２１が外側枠６から取り外されたり内側枠２１が外側枠６に取り付けられたりするときに、内側枠２１が外側枠６に対して移動するように、複数の右側ガイドレール用受け突起７７を案内する。左側ガイドレール４２は、内側枠２１が外側枠６から取り外されたり内側枠２１が外側枠６に取り付けられたりするときに、内側枠２１が外側枠６に対して移動するように、複数の左側ガイドレール用受け突起８４を案内する。右側吸収材２２と左側吸収材２８とは、磁気ディスク記憶装置３−ｉが内側枠２１を介して外側枠６に取り付けられているときに、右側ガイドレール３２に複数の右側ガイドレール用受け突起７７が嵌合するように、内側枠２１に弾性力を与える。右側吸収材２２と左側吸収材２８とは、磁気ディスク記憶装置３−ｉが内側枠２１を介して外側枠６に取り付けられているときに、さらに、左側ガイドレール４２に複数の左側ガイドレール用受け突起８４が嵌合するように、内側枠２１に弾性力を与える。
【００７２】
このような磁気ディスク記憶装置固定器具１は、複数の右側ガイドレール用受け突起７７が右側ガイド溝４０から外れることを防止し、複数の左側ガイドレール用受け突起８４が左側ガイド溝４７から外れることを防止することができる。このため、磁気ディスク記憶装置固定器具１は、ＨＤＤ固定枠１１を介して磁気ディスク記憶装置３−ｉを外側枠６に固定することができる。
【００７３】
ところで、既述の実施例の磁気ディスク記憶装置固定器具１は、複数の右側ガイドレール用受け突起７７が右側ガイド溝４０の底に接触し、複数の左側ガイドレール用受け突起８４が左側ガイド溝４７の底に接触している。しかしながら、磁気ディスク記憶装置固定器具１は、右側ガイドレール３２の頭頂部が右側壁７３に接触し、左側ガイドレール４２が左側壁７４に接触してもよい。このような場合でも、磁気ディスク記憶装置固定器具１は、複数の右側ガイドレール用受け突起７７が右側ガイド溝４０から外れることを防止し、複数の左側ガイドレール用受け突起８４が左側ガイド溝４７から外れることを防止することができる。
【００７４】
ところで、既述の実施例の磁気ディスク記憶装置固定器具１は、内側枠２１にガイドレールが設けられ、外側枠６にガイドレール用受け突起が設けられているが、内側枠２１にガイドレール用受け突起が設けられ、外側枠６にガイドレールが設けられてもよい。このような場合でも、磁気ディスク記憶装置固定器具１は、磁気ディスク記憶装置３−ｉを適切に外側枠６に固定することができる。
【００７５】
また、実施例の磁気ディスク記憶装置固定器具１の外側枠６は、右側受け孔７９と左側受け孔８３とをさらに備えている。内側枠２１は、内側枠２１が外側枠６に取り付けられるときに右側受け孔７９と左側受け孔８３とにそれぞれ嵌合する右手前側突起３４と左手前側突起４４とをさらに有している。このような磁気ディスク記憶装置固定器具１は、ＨＤＤユニット７−ｉが外側枠６に適切に取り付けられているときに、ＨＤＤユニット７−ｉが外側枠６から外れることを防止し、磁気ディスク記憶装置３−ｉを適切に外側枠６に固定することができる。
【００７６】
ところで、既述の実施例の磁気ディスク記憶装置固定器具１は、内側枠２１に突起が設けられ、外側枠６に受け孔が設けられているが、外側枠６に突起が設けられ、内側枠２１に受け孔が設けられてもよい。この場合でも、磁気ディスク記憶装置固定器具１は、ＨＤＤユニット７−ｉが外側枠６から外れることを防止し、磁気ディスク記憶装置３−ｉを適切に外側枠６に固定することができる。
【００７７】
また、実施例の磁気ディスク記憶装置固定器具１の内側枠２１は、右側レバー５１と左側レバー５２と右側突起用弾性部３５とをさらに備えている。右側レバー５１は、右手前側突起３４に固定されている。左側レバー５２は、左手前側突起４４に固定されている。右側突起用弾性部３５は、右側レバー５１が左側レバー５２に接近するときに、右手前側突起３４が右側受け孔７９から外れるように弾性変形する。このような磁気ディスク記憶装置固定器具１によれば、ユーザは、右側レバー５１と左側レバー５２を接近させることにより、右手前側突起３４を右側受け孔７９から容易に外すことができ、ＨＤＤユニット７−ｉを外側枠６から容易に取り外すことができる。
【００７８】
また、実施例の磁気ディスク記憶装置固定器具１の右側レバー５１は、右側押付部５３と２つの右側ガイド部５４とを備えている。２つの右側ガイド部５４は、右側押付部５３の両端にそれぞれ接合し、左側レバー５２から遠い側に突出している。左側レバー５２は、左側押付部５６と２つの左側ガイド部５７とを備えている。２つの左側ガイド部５７は、左側押付部５６の両端にそれぞれ接合し、右側レバー５１から遠い側に突出している。
【００７９】
このような磁気ディスク記憶装置固定器具１は、右側押付部５３と左側押付部５６とにそれぞれ宛がわれている２つの指が右側レバー５１と左側レバー５２とから外れることを防止することができる。ユーザは、その２つの指が右側レバー５１と左側レバー５２とから外れることが防止されていることにより、右側レバー５１と左側レバー５２とに指をかけて、ＨＤＤユニット７−ｉを容易に取り扱うことができる。
【００８０】
ところで、既述の実施例の磁気ディスク記憶装置固定器具１は、２つの右側ガイド部５４と２つの左側ガイド部５７とが設けられているが、２つの右側ガイド部５４と２つの左側ガイド部５７とを省略してもよい。磁気ディスク記憶装置固定器具１は、２つの右側ガイド部５４と２つの左側ガイド部５７とが省略された場合でも、右側レバー５１と左側レバー５２とに操作することにより、ＨＤＤユニット７−ｉを外側枠６から容易に取り外すことができる。
【００８１】
ところで、既述の実施例の磁気ディスク記憶装置固定器具１は、右側レバー５１と左側レバー５２とが設けられているが、右側レバー５１と左側レバー５２とを省略してもよい。磁気ディスク記憶装置固定器具１は、右側レバー５１と左側レバー５２とが省略された場合でも、右手前側突起３４と左手前側突起４４とを直接に操作して右側受け孔７９と左側受け孔８３とから外し、ＨＤＤユニット７−ｉを外側枠６から取り外すことができる。
【００８２】
また、実施例の磁気ディスク記憶装置固定器具１の内側枠２１が形成する複数の部位は、同一の材料から形成されている。このような内側枠２１は、射出成形により作製されることができ、容易に作製されることができる。磁気ディスク記憶装置固定器具１は、ＨＤＤ固定枠１１が容易に作製されることにより、容易に作製されることができる。
【００８３】
ところで、既述の実施例の磁気ディスク記憶装置固定器具１の内側枠２１は、射出成形により作製されているが、複数の部品が組み立てられることより作製されてもよい。磁気ディスク記憶装置固定器具１は、内側枠２１が複数の部品から組み立てられる場合でも、外側枠６と磁気ディスク記憶装置３−ｉとの間に伝達される振動・衝撃を低減しつつ、磁気ディスク記憶装置３−ｉを着脱する作業を容易にすることができる。
【００８４】
ところで、実施例の磁気ディスク記憶装置固定器具１の外側枠６は、複数のＨＤＤユニット７−１〜７−３が格納されるように形成されているが、１つのＨＤＤユニットが格納されるように形成されてもよい。磁気ディスク記憶装置固定器具１は、このような場合でも、外側枠６と磁気ディスク記憶装置３−ｉとの間を伝達する振動・衝撃を低減しつつ、磁気ディスク記憶装置３−ｉを着脱する作業を容易にすることができる。
【００８５】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００８６】
１  ：磁気ディスク記憶装置固定器具
２  ：筐体
３−１〜３−３：複数の磁気ディスク記憶装置
６  ：外側枠
７−１〜７−３：複数のＨＤＤユニット
１１：ＨＤＤ固定枠
１４−１〜１４−３：複数の右側螺子穴
２１：内側枠
２２：右側吸収材
２４：右側壁部分
２５：左側壁部分
２８：左側吸収材
３０−１〜３０−２：２つの可動保持ピン部
３１−１〜３１−２：２つのピン用弾性部
３２：右側ガイドレール
３４：右手前側突起
３５：右側突起用弾性部
３７：右側吸収材固定部位
４０：右側ガイド溝
４１−１〜４１−３：複数の固定保持ピン部
４２：左側ガイドレール
４４：左手前側突起
４５：左側突起用弾性部
４７：左側ガイド溝
４９：左側吸収材固定部位
５１：右側レバー
５２：左側レバー
５３：右側押付部
５４：２つの右側ガイド部
５６：左側押付部
５７：２つの左側ガイド部
６２：ピン
６３：凹面
６４：柱状部分
６５：根本部分
７６−１〜７６−３：複数の右側取付部
７７：複数の右側ガイドレール用受け突起
７９：右側受け孔
８２−１〜８２−３：複数の左側取付部
８３：左側受け孔
８４：複数の左側ガイドレール用受け突起
【図１】
2019109948.tif 000003
【図２】
2019109948.tif 000004
【図３】
2019109948.tif 000005
【図４】
2019109948.tif 000006
【図５】
2019109948.tif 000007
【図６】
2019109948.tif 000008
【図７】
2019109948.tif 000009
【図８】
2019109948.tif 000010
【図９】
2019109948.tif 000011
【図１０】
2019109948.tif 000012
【図１１】
2019109948.tif 000013
【図１２】
2019109948.tif 000014
【図１３】
2019109948.tif 000015
【図１４】
2019109948.tif 000016
【図１５】
2019109948.tif 000017